(57)【要約】【課題】狭い空間でも簡単に既設配管のエルボに取り付けできるエルボ用遮音シートを提供すること。【解決手段】発泡樹脂シートの吸音材を主体とした遮音シートから成り、両端部にエルボの管端外周へ捲回される帯状部２を有すると共に中間部の両側に襞部３を形成したエルボ用の遮音シート４を、襞部の端面同士と帯状部の端面と襞部の端面を互いに突き合わせた状態とし、そこに伸縮性と防水性を備えた粘着テープ１４を貼着してエルボの外形に適合する椀形部９を形成すると共にその粘着テープの一部を延長してエルボを十分に周回する長さの中間固定用テープ片１０を形成し、該帯状部の周面にこれをエルボの管端外周へ捲回固定するための端部固定用粘着テープ片１１を設けた。【選択図】図６
2011033055.tif 000002
【特許請求の範囲】
【請求項１】
発泡樹脂シートの吸音材を主体とした遮音シートから成り、両端部にエルボの管端外周へ捲回される帯状部を有すると共に中間部の両側に襞部を形成したエルボ用の遮音シートを、襞部の端面同士と帯状部の端面と襞部の端面を互いに突き合わせた状態とし、そこに伸縮性と防水性を備えた粘着テープを貼着してエルボの外形に適合する椀形部を形成すると共にその粘着テープの一部を延長してエルボを十分に周回する長さの中間固定用テープ片を形成し、該帯状部の周面にこれをエルボの管端外周へ捲回固定するための端部固定用粘着テープ片を設けたことを特徴とするエルボ用遮音シート。
【請求項２】
上記遮音シートを、発泡樹脂シートの吸音材の上面にポリ塩化ビニールシートなどの遮音材のシートを重層し、更にその上層に不織布を重層したシートで構成し、上記端部固定用粘着テープ片を不織布製の粘着テープで構成し、上記中間固定用テープ片および端部固定用粘着テープ片の粘着面を剥離紙で覆ったことを特徴とする請求項１に記載のエルボ用遮音シート。
【請求項３】
上記遮音シートをエルボの実物大模型に沿わせた状態で粘着テープを巻き付けして上記椀形部を形成したことを特徴とするエルボ用遮音シート。
【発明の詳細な説明】
【技術分野】
【０００１】
本発明は、配管に組み込まれたエルボへの取り付けに適した遮音シートに関する。
【背景技術】
【０００２】
従来、硬質塩化ビニール製の排水管及びエルボを使用して配管を構成した場合、排水の騒音が配管から漏れ出し、住宅の静粛性が損なわれるのでこれを防止するために配管に遮音シートを巻き付けることが行われている。また、この遮音シートとして発泡樹脂に合成樹脂シートを重層したものが提案されているが（特許文献１）、配管周囲には結露を生じることがあり、これは戸建住宅の場合、カビや木材の腐蝕の原因になって好ましくないので、出願人は、内層が発泡ポリウレタンからなる吸音材で形成され、中間層がポリ塩化ビニールシートで形成され、外層が不織布シートで形成された三層構成の遮音シートを提案した。この提案した遮音シートは、排水管や継手で発生する騒音の漏れを防ぐと同時に外層を形成する不織布シートが外部衝撃などにより遮音シート材が破損することや表面に結露することを防止でき、結露発生に伴うカビや木材の腐食を防げる利点がある。
【０００３】
排水管やエルボにこの遮音シートを予め被せておけば、そのまま配管施工することで遮音形の配管路が完成するが、既設の排水管やエルボに対しては、遮音シートを巻きつけ更にそれを固定するために接着テープなどを巻いたり固定具を取り付ける作業が必要で、この作業は配管が狭い空間に設けられていたり壁に接近していると困難性が増す。出願人はこの三層構成の遮音シートをエルボの湾曲した周面にきれいに巻き付けできるように、図１乃至図３に見られるように、両端部にエルボ１の管端外周へ捲回される帯状部２を形成すると共に中間部の両側に襞部３を形成したものとし、これの襞部３の端面同士もしくは襞部３の端面と帯状部２の端面を互いに突き合わせた状態でエルボ１の周面に接着剤や両面接着テープなどで貼り付け、図４のように全周を覆うことを試みた。これによればエルボを遮音シート４で比較的きれいに覆うことができるが、その突合せ部をテープで覆えばより一層遮音効果や防水性も向上して望ましいと考えた。
【先行技術文献】
【特許文献】
【０００４】
【特許文献１】特開平１０−４７５８３
【発明の概要】
【発明が解決しようとする課題】
【０００５】
しかし、上記のような襞部３を持った形状の遮音シート４は、エルボが施工前の単体部品状態であるときは、その全周に貼り付け、さらに襞部３の突合せ部を防水等のためにテープで覆うことができるが、配管済のエルボを遮音する場合は、配管周囲に十分な作業空間が存在しないと、大幅に貼り付け作業に時間が掛かり施工状態も良好にならないという不都合が予想される。
【０００６】
本発明は、こうした予想される不都合等を解消し、狭い空間でも簡単に既設配管のエルボに取り付けできるエルボ用遮音シートを提供することを課題とするものである。
【課題を解決するための手段】
【０００７】
本発明では、上記課題を解決すべく、発泡樹脂シートの吸音材を主体とした遮音シートから成り、両端部にエルボの管端外周へ捲回される帯状部を有すると共に中間部の両側に襞部を形成したエルボ用の遮音シートを、襞部の端面同士と帯状部の端面と襞部の端面を互いに突き合わせた状態とし、そこに伸縮性と防水性を備えた粘着テープを貼着してエルボの外形に適合する椀形部を形成すると共にその粘着テープの一部を延長してエルボを十分に周回する長さの中間固定用テープ片を形成し、該帯状部の周面にこれをエルボの管端外周へ捲回固定するための端部固定用粘着テープ片を設けた。該遮音シートを、発泡樹脂シートの吸音材の上面にポリ塩化ビニールシートなどの遮音材のシートを重層し、更にその上層に不織布を重層したシートで構成し、該端部固定用粘着テープ片を不織布製の粘着テープで構成し、該中間固定用テープ片および端部固定用粘着テープ片の粘着面を剥離紙で覆った。該遮音シートをエルボの実物大模型に沿わせた状態で粘着テープを巻き付けして該椀形部を形成する。
【０００８】
このエルボ用遮音シートは、まず、配管済みのエルボの丸い背部に椀形部を当てがい、押さえながらエルボの管端部に帯状部を巻き付け、端部固定用粘着テープ片を帯状部の上に巻き付けた状態で接着固定し、次いで椀形部から延びる中間固定用テープ片をエルボの中間部の遮音シートの上に巻き付けて接着固定する。中間固定用テープ片は伸縮性と防水性を備えているので、エルボ用遮音シートを既設のエルボに押え付けた状態で取り付けることができ、シートの突合せ部から排水音が漏れたりシート内への水の浸入を防止できる。
【発明の効果】
【０００９】
本発明のエルボ用遮音シートは、両端部に帯状部を持ち中間部両側に襞部が形成されている発泡樹脂の襞部の端面同士や襞部と帯状部の端面同士を突き合わせてそこに粘着テープを貼着し、シートにエルボの外形に適合する椀形部を形成したので、既設配管のエルボの背部に該椀形部を当てるだけで所定の位置に安定設置することができ、２本の帯状部の上から夫々端部固定用粘着テープ片を巻いて貼着固定し、中間固定用テープ片をシートの椀形部の上から周回して貼着固定するだけで簡単に遮音シートの取り付け作業が完了する。エルボの周囲の隙間が狭い場合でも、椀形部や各テープ片が通過できる幅があればその作業を迅速且つ確実に取り付け作業を行える。
【００１０】
また、該中間固定用テープ片には微細な独立発泡を有する伸縮性と防水性を備えた合成樹脂製の粘着テープを使用することで、遮音シートをエルボに押し付けて確実に固定でき、テープ自体にも遮音性があるので襞部端面同士などの付き合わせた部分から排水騒音が外部へ漏れたり水が外部から遮音シート内に浸入することを防げる。
【００１１】
遮音シートを、上記のように吸音材と遮音材を重層したシートの上にさらに不織布のシートを重層した構成とすることで、遮音シートの表面に結露が生じ難くなり、衝撃が加わってもシートが破損し難くなる。帯状部を固定する端部固定用粘着テープ片を不織布製の粘着テープで構成することでテープにおける結露の発生が防止できる。上記中間固定用テープ片および端部固定用粘着テープ片の粘着面を剥離紙で覆っておくことで、テープ片の纏わり付きがなくなり、包装や被覆作業が容易になる。
【００１２】
上記遮音シートの椀形部は、遮音シートをエルボの実物大模型に沿わせ、帯状部をエルボ模型の管端部周囲に仮止めした状態で襞部の突合せ部に粘着テープを巻き付けすることで簡単に形成でき、模型から取り外せば椀形部を持つエルボ用遮音シートが得られる。
【図面の簡単な説明】
【００１３】
【図１】本発明で使用したエルボ用の遮音シートの平面図
【図２】図１の遮音シートを単体のエルボに取り付ける状態の正面図
【図３】図２の側面図
【図４】図２の取り付け完成図
【図５】本発明の実施例の正面図
【図６】図５の側面図
【図７】図５の実施例の展開平面図
【図８】使用状態の斜視図
【図９】遮音シートの拡大断面図
【発明を実施するための形態】
【００１４】
本発明の実施の形態を図面に基づき説明すると、図５及び図６において、符号５は本発明のエルボ用遮音シートを示す。このエルボ用遮音シート５は、図１乃至図４に示した発泡樹脂シートの吸音材を主体とした遮音シート４を使用したもので、遮音シートの両端部にはエルボの管端外周へ捲回される図１の帯状部２に相当するものや遮音シート中間部両側の襞部３に相当するものを備えている。このエルボ用遮音シート５の層構成は、図９に示したように、発泡樹脂シートの吸音材６の上面にポリ塩化ビニールシート製の遮音材７のシートを重層し、更にその上層に結露防止と破損防止のためにポリエチレンの不織布８を重層した構成を有する。
【００１５】
前記したように既設配管のエルボに対して遮音工事を施すには、平坦な遮音シートをエルボに接着剤を塗布して貼り付ける作業を伴い、これはエルボ周囲に十分な空間が必要で作業性が悪い不都合があるが、本発明のものでは、遮音シート４の襞部３の端面同士と帯状部２の端面と襞部３の端面を互いに突き合わせ、この突合せ部分の上に伸縮性と防水性を備えた粘着テープ１４を貼着してエルボ１の湾曲した外形に適合する椀形部９を形成し、この粘着テープ１４の一端部を延長してエルボ１の湾曲部を十分に周回する長さの中間固定用テープ片１０を形成し、更に各帯状部２の周面にこれをエルボ１の管端外周へ捲回固定するための端部固定用粘着テープ片１１を設けた。これら中間固定用テープ片１０及び端部固定用粘着テープ片１１の粘着面には剥離紙で覆うようにした。
【００１６】
遮音シート４の帯状部２と襞部３の端面同士を付き合わせると、図５及び図６に示すように遮音シート４の中央部１２が盛り上がって椀形部９が形成され、粘着テープ１４を貼着することでこの椀形部９が維持されたエルボ用遮音シート５が得られる。この椀形部９が形成されているため、図８に示したように、既設配管１３のエルボの湾曲した背筋に椀形部９を当てるだけで遮音シートをセットでき、伸縮性のある中間固定用テープ片１０をエルボの径方向に引張しながら周回させて固定し、端部固定用粘着テープ片１１により帯状部２を管端部に巻き付いた状態で固定することで簡単に短時間に遮音作業を完了できる。また、遮音シートの厚さ程度の隙間がエルボ周囲あれば作業を行える利点がある。
【００１７】
この伸縮性と防水性を備えた粘着テープ１４としては、ポリエチレンに微細な独立気泡を形成した軽量で伸縮性、防水性、耐熱性に優れたテープ材（積水化学  商品名ボラーラ）にアクリル系接着剤を塗布したものを使用した。また、端部固定用粘着テープ片１１としては、結露防止のために不織布製のものを使用した。
【００１８】
本発明のエルボ用遮音シート５は、適用されるエルボの実物大の模型を用意してこれの周面に遮音シート４を押し当てることで帯状部２や襞部３の端面同士を付き合わせ状態とし、この状態で突合せ部に伸縮性の粘着テープ１４を貼着し、端部固定用粘着テープ片１１を貼着することで簡単に製作できる。
【符号の説明】
【００１９】
１  エルボ、２  帯状部、３  襞部、４  遮音シート、５  エルボ用遮音シート、６  吸音材、７  遮音材、８  不織布、９  椀形部、１０  中間固定用テープ片、１１  端部固定用粘着テープ片、１４  粘着テープ、
【図１】
2011033055.tif 000003
【図２】
2011033055.tif 000004
【図３】
2011033055.tif 000005
【図４】
2011033055.tif 000006
【図５】
2011033055.tif 000007
【図６】
2011033055.tif 000008
【図７】
2011033055.tif 000009
【図８】
2011033055.tif 000010
【図９】
2011033055.tif 000011